(57)【要約】【課題】施工性を向上することができる屋根を提供すること。【解決手段】屋根１０は、前枠と、垂木掛けと、前枠および垂木掛けに掛け渡された複数の垂木４０と、前枠、垂木掛けおよび複数の垂木４０間に配置された屋根材６０とを備えている。複数の垂木４０は、屋根材６０に対して上側に位置する上片部４２Ａ（４２Ｂ），５２と、屋根材６０に対して下側に位置する下片部４３Ａ（４３Ｂ），５３とを有しており、複数の垂木４０のうち互いに隣り合う垂木４０Ａ，５０Ａの下片部４３Ａ，５３は、互いに近接する方向に上片部４２Ａ，５２よりも延出している。【選択図】図２
2019015130.tif 000002
【特許請求の範囲】
【請求項１】
互いに並設された一対の桁材と、前記一対の桁材に掛け渡された複数の垂木と、前記一対の桁材および前記複数の垂木間に配置された屋根材とを備えており、
前記複数の垂木は、前記屋根材に対して上側に位置する上片部と、前記屋根材に対して下側に位置する下片部とを有しており、
前記複数の垂木のうち互いに隣り合う垂木の下片部は、互いに近接する方向に前記上片部よりも延出している
ことを特徴とする屋根。
【請求項２】
請求項１に記載の屋根において、
前記下片部には、前記垂木の幅方向内側に向かって斜め上方向に傾斜した傾斜面が形成されており、
前記下片部および前記屋根材間にはビート材が設けられている
ことを特徴とする屋根。
【請求項３】
請求項２に記載の屋根において、
互いに隣り合う前記垂木の下片部のうち前記上片部よりも互いに近接する方向に延出した部分には、上方に突出した突片部がそれぞれ形成されている
ことを特徴とする屋根。
【請求項４】
請求項２または請求項３に記載の屋根において、
前記垂木は、前記上片部および前記下片部に連続した底片部を有しており、
前記下片部には、前記垂木の幅方向において前記底片部に寄った位置から上方に立ち上げられた立上り部が形成されている
ことを特徴とする屋根。
【発明の詳細な説明】
【技術分野】
【０００１】
本発明は、テラス、バルコニー等に設置される屋根に関する。
【背景技術】
【０００２】
従来、建物の外壁に支持された垂木掛けと、支柱に支持されていると共に垂木掛けに平行に架設された前枠と、垂木掛けおよび前枠間に掛け渡された複数の垂木と、垂木掛け、前枠および複数の垂木によって区画された各領域に配置された屋根葺き材（屋根材）とによって構成された簡易屋根が知られている（特許文献１参照）。垂木掛け、前枠および複数の垂木には、各長手方向に延びた呑込み溝がそれぞれ形成されており、これら各呑込み溝に屋根材の周縁部が配置されている。
この簡易屋根の施工手順は次の通りである。まず、隣り合う垂木間の間隔を広げておき、この広げた領域の下側から屋根材を当該領域に配置する。この際、屋根材を撓ませながら垂木掛けおよび前枠の各呑込み溝に挿入し、続いて、屋根材を隣り合う垂木のうちの一方側に寄せて当該一方の垂木の呑込み溝に挿入する。次に、他方の垂木を一方の垂木に向かって移動させ、前記領域を狭めながら当該他方の垂木の呑込み溝に屋根材を挿入する。その後、各呑込み溝にシール材等を差し込むことで屋根材を取り付けている。
【先行技術文献】
【特許文献】
【０００３】
【特許文献１】特許第３６８４４３７号公報
【発明の概要】
【発明が解決しようとする課題】
【０００４】
ところで、特許文献１に記載の簡易屋根では、前述したように屋根材をその下側から支えつつ、垂木掛けおよび前枠の呑込み溝に挿入し、一方の垂木の呑込み溝に挿入し、更に他方の垂木の呑込み溝に挿入しなければならず、屋根材の取付作業が煩雑である。このため、簡易屋根の施工性の向上を図ることが困難である。
【０００５】
本発明の目的は、施工性を向上することができる屋根を提供することにある。
【課題を解決するための手段】
【０００６】
本発明の屋根は、互いに並設された一対の桁材と、前記一対の桁材に掛け渡された複数の垂木と、前記一対の桁材および前記複数の垂木間に配置された屋根材とを備えており、前記複数の垂木は、前記屋根材に対して上側に位置する上片部と、前記屋根材に対して下側に位置する下片部とを有しており、前記複数の垂木のうち互いに隣り合う垂木の下片部は、互いに近接する方向に前記上片部よりも延出していることを特徴とする。
本発明の屋根によれば、一対の桁材の長手方向に沿った屋根材の寸法に対して、互いに隣り合う垂木の上片部間の寸法が長く且つ下片部間の寸法が短くなるように各垂木を配置することで、屋根材を垂木の上側から各下片部に仮置きすることができる。これにより、作業員が屋根材を下側から支え続ける必要をなくすことができ、屋根材を施工する施工性を向上することができる。なお、屋根材の仮置き後、隣り合う垂木のうちの一方の垂木をスライドして他方の垂木に寄せることで、隣り合う垂木の双方の上片部および下片部間に屋根材の縁部を配置することができる。
【０００７】
本発明の屋根では、前記下片部には、前記垂木の幅方向内側に向かって斜め上方向に傾斜した傾斜面が形成されており、前記下片部および前記屋根材間にはビート材が設けられていることが好ましい。
このような構成によれば、隣り合う垂木の一方を他方に寄せる際に屋根材が下片部の傾斜面上を滑りながら上方に持ち上げられるので、下片部および屋根材間に隙間が形成され、この隙間へビート材を容易に差し込むことができる。また、ビート材の圧入等によって設けられることで耐風圧強度を向上することができる。
【０００８】
本発明の屋根では、互いに隣り合う前記垂木の下片部のうち前記上片部よりも互いに近接する方向に延出した部分には、上方に突出した突片部がそれぞれ形成されていることが好ましい。
このような構成によれば、下片部の突片部の先端に屋根材が仮置きされることとなり、突片部がない場合と比べて下片部および屋根材の接触面積を減らすことができる。このため、隣り合う垂木の一方を他方に寄せる際に下片部および屋根材間の摺動抵抗を低減することができる。
【０００９】
本発明の屋根では、前記垂木は、前記上片部および前記下片部に連続した底片部を有しており、前記下片部には、前記垂木の幅方向において前記底片部に寄った位置から上方に立ち上げられた立上り部が形成されていることが好ましい。
このような構成によれば、隣り合う垂木の一方を他方に寄せた際に屋根材が垂木の立上り部に当接するので、一対の桁材の長手方向における屋根材の位置決めを簡単に行うことができる。また、下片部および屋根材間にビート材を圧入するだけで、屋根材が上方に持ち上げられて当該屋根材の周縁および底片部間にクリアランスを形成することができる。このため、屋根材に熱伸び等が生じても前記クリアランスに逃がすことができる。
【発明の効果】
【００１０】
本発明によれば、施工性を向上することができる屋根を提供することができる。
【図面の簡単な説明】
【００１１】
【図１】本発明の実施形態に係る屋根を示す斜視図。
【図２】図１に示すＩＩ−ＩＩ線に沿った断面図。
【図３】図１に示すＩＩＩ−ＩＩＩ線に沿った断面図。
【図４】図３に示すＩＶ−ＩＶ線に沿った断面図。
【図５】図３に示すＶ−Ｖ線に沿った断面図。
【図６】前記実施形態に係る屋根の施工手順を示す説明図。
【図７】前記実施形態に係る屋根における側枠の取付手順を示す説明図。
【発明を実施するための形態】
【００１２】
［本実施形態の構成］
以下、本発明の実施形態を図面に基づいて説明する。
図１において、本実施形態に係る屋根１０は、テラスに施工されるテラス屋根であり、後述するＹ軸方向において互いに間隔を隔てて並設された一対の桁材としての前枠２０および垂木掛け３０と、前枠２０および垂木掛け３０に掛け渡された複数の垂木４０と、前枠２０、垂木掛け３０および複数の垂木４０間に配置された複数の屋根材６０とを備えている。前枠２０、垂木掛け３０および複数の垂木４０は、本実施形態ではアルミ押出形材によって形成されている。前枠２０は柱２によって支えられており、垂木掛け３０は、建物の外壁に固定されている。複数の垂木４０間には野縁７０が設置されている。複数の屋根材６０は、ポリカーボネート（Ｐｏｌｙｃａｒｂｏｎａｔｅ）製等の矩形板状のパネル材によって形成されている。
ここで、図中のＸ、Ｙ、Ｚ軸方向は互いに直交しており、Ｘ軸方向は屋根１０の間口方向を示しており、Ｙ軸方向は屋根１０の奥行方向を示しており、Ｚ軸方向は屋根１０の高さ方向を示している。
【００１３】
複数の垂木４０のうちＸ軸方向における両端側に位置するものは側枠５０Ａ，５０Ｂとして構成されており、前枠２０および垂木掛け３０の長手方向における両端部に取り付けられている。
複数の垂木４０のうちＸ軸方向において側枠５０Ａ，５０Ｂ間に位置する複数の垂木４０Ａは互いに同様に形成されている。垂木４０Ａは、図２に示すように、垂木下片部４１１および垂木側片部４１２，４１３を有した垂木本体部４１と、垂木本体部４１の垂木側片部４１２，４１３の上縁に連続した下片部４３Ａ，４３Ｂと、下片部４３Ａ、４３Ｂに連続した底片部４４と、底片部４４に連続した上片部４２Ａ，４２Ｂとを有している。上片部４２Ａ、下片部４３Ａおよび底片部４４によって呑込み溝４５Ａが形成されており、上片部４２Ｂ、下片部４３Ｂおよび底片部４４によって呑込み溝４５Ｂが形成されている。
ここで、上片部４２Ａおよび下片部４３Ａは、Ｘ軸方向に沿った垂木４０Ａの幅方向において上片部４２Ｂおよび下片部４３Ｂと左右対称に形成されているので、主に上片部４２Ａおよび下片部４３Ａについて説明し、上片部４２Ｂおよび下片部４３Ｂについては図に同符号を適宜付してこれらの詳細な説明を省略する。
【００１４】
下片部４３Ａは、垂木側片部４１２よりも垂木４０Ａの幅方向外側に延出した延出片部４３１と、垂木側片部４１２から呑込み溝４５Ａの溝底側に向かって斜め上方向に傾斜した傾斜片部４３２とを有している。
延出片部４３１は、Ｘ軸方向に沿って水平に配置されている。延出片部４３１の外縁部には上方に突出した突片部４３３が形成されている。
傾斜片部４３２の上面は垂木４０Ａの幅方向内側に向かって斜め上方向に傾斜した傾斜面４３４を形成している。また、傾斜片部４３２の底片部４４に寄った位置には立上り部４３５が形成されており、この立上り部４３５は、底片部４４よりも呑込み溝４５Ａの溝開口側の位置から上方に立ち上げられている。
底片部４４は、Ｚ軸方向に沿っていると共に垂木４０Ａの幅方向における中央に配置されている。
上片部４２Ａは、底片部４４の上縁から垂木４０Ａの幅方向外側に延出しており、その外縁部は垂木側片部４１２の上方に位置している。また、上片部４２Ａの外縁部には装着溝４２１が形成されており、この装着溝４２１にシール部材４２２が装着されている。シール部材４２２は、下片部４３Ａの傾斜面４３４に対してＺ方向における間隔を隔てて向かい合っている。
前述した垂木４０Ａにおいて、下片部４３ＡのＸ軸方向における幅寸法は、上片部４２Ａの幅寸法よりも長く設定されており、下片部４３Ａが上片部４２Ａよりも延出片部４３１の幅寸法Ｗ１分だけ垂木４０Ａの幅方向外側に延出している。
【００１５】
垂木４０Ａの呑込み溝４５Ａ，４５Ｂには屋根材６０の縁部がそれぞれ配置されていると共に、下片部４３Ａ、４３Ｂおよび屋根材６０間にビート材５がそれぞれ圧入されている。
ビート材５は、中空の弾性部材によって形成されている。ビート材５の上面はＸ軸方向に沿って平坦に形成されている。ビート材５の下面には、突片部４３３が係合する係合溝５Ａが形成されている。また、ビート材５の下面には、傾斜片部４３２の傾斜面４３４に沿って同方向に傾斜した傾斜面５Ｂが形成されている。
このビート材５の圧入によって屋根材６０が持ち上げられ、シール部材４２２に押し当てられる。また、屋根材６０の周縁は各立上り部４３５の上端よりも上方の位置であって、底片部４４に対してＸ軸方向におけるクリアランスＣを隔てた位置に配置される。なお、ビート材５の係合溝５Ａに突片部４３３が係合した状態では、ビート材５の傾斜面５Ｂは傾斜片部４３２の傾斜面４３４に当接している。
このようにビート材５が圧入された状態で、上片部４２Ａ，４２Ｂは、屋根材６０を上側から押え、且つ、下片部４３Ａ，４３Ｂは、屋根材６０を下側から受ける。また、ビート材５の傾斜面５Ｂが下片部４３Ａ，４３Ｂの傾斜面４３４に沿ってぴったりと圧接されるので、屋根材６０を垂木４０Ａに対して、より強固に取り付けることができる。更に、ビート材５の上面がＸ軸方向に沿って平坦であると共に下面に傾斜面５Ｂを形成することで、ビート材５を先細り形状とすることができ、下片部４３Ａ，４３Ｂおよび屋根材６０間に、より差し込み易い構成にすることができる。
【００１６】
側枠５０Ａは、図２に示すように、側枠下片部５１１および側枠側片部５１２，５１３を有した側枠本体部５１（垂木本体部）と、側枠側片部５１２の上縁に連続した下片部５３と、下片部５３に連続した底片部５４と、底片部５４に連続した上片部５２とを有しており、上片部５２、下片部５３および底片部４４によって呑込み溝５５が形成されている。下片部５３は、突片部５３３を有した延出片部５３１と、傾斜面５３４および立上り部５３５を有した傾斜片部５３２とを有している。下片部５３は、側枠５０ＡのＸ軸方向に沿った幅方向における上片部５２の幅寸法よりも延出片部５３１の幅寸法Ｗ１だけ長い幅寸法とされており、側枠５０Ａの幅方向において上片部５２よりも延出している。上片部５２の装着溝５２１にはシール部材５２２が装着されており、下片部５３および屋根材６０間にビート材５が圧入されている。
前述した側枠５０Ａの上片部５２、下片部５３および底片部５４は、垂木４０Ａの上片部４２Ａ，下片部４３Ａおよび底片部４４と同様に形成されており、Ｘ軸方向において左右逆向きに配置されている。このため、下片部５３および底片部５４についての詳細な説明を省略する。
なお、側枠５０Ｂは、側枠５０Ａと同様に形成されており、Ｘ軸方向において側枠５０Ａとは左右逆向きに配置されているので、図に同符号を適宜付してその詳細な説明を省略する。
【００１７】
前枠２０は、図３に示すように、前枠下片部２１１、前枠側片部２１２，２１３および前枠上片部２１４を有した前枠本体部２１と、前枠側片部２１３からＹ軸方向において後方側に延出した垂木受け片部２２と、前枠上片部２１４から上方に延出し且つＹ軸方向において後方側に折曲された上押え片部２３と、前枠側片部２１３の上縁がＹ軸方向において前方側に折曲されて形成されたビート受け部２４とを有している。前枠上片部２１４および上押え片部２３によって屋根材６０の前縁部が配置される呑込み溝２５が形成されている。前枠側片部２１３の上縁部には、垂木４０Ａの下片部４３Ａ，４３Ｂが配置されるための切欠き２６（図４参照）が形成されている。ビート受け部２４および屋根材６０間にはビート材６が圧入されている。また、前枠下片部２１１および前枠側片部２１２の連続部分から雨樋部２７が連続している。なお、前枠本体部２１のＸ軸方向における両端側に柱２がそれぞれ取り付けられている。
この前枠２０の垂木受け片部２２には、図４に示すように、垂木４０Ａの垂木下片部４１１が載せられており、下片部４３Ａ，４３Ｂは、切欠き２６に配置されている。このため、垂木４０Ａを垂木受け片部２２にビス止めする仮固定状態では、垂木４０Ａは前枠２０に対してＸ軸方向にスライド可能とされる。なお、図４では、説明の便宜上、屋根材６０、ビート材５の図示を省略している。
【００１８】
垂木掛け３０は、図３に示すように、建物の外壁に固定された固定片部３１と、固定片部３１の下縁に連続した垂木支え片部３２と、固定片部３１の上縁からＹ軸方向において前方側に延出した上押え片部３３と、固定片部３１からＹ軸方向において前方側に延出していると共に上押え片部３３よりも下方に位置したビート受け片部３４とを有している。上押え片部３３、ビート受け片部３４および固定片部３１によって屋根材６０の後縁部が配置される呑込み溝３５が形成されている。上押え片部３３にはシール部材７が装着されている。ビート受け片部３４および屋根材６０間にはビート材６が圧入されている。
この垂木掛け３０には、図５に示すように、断面略Ｌ字形状のブラケット８を介して垂木４０Ａが取り付けられている。ブラケット８は、垂木４０Ａの垂木側片部４１２，４１３にそれぞれビス止めされていると共に、Ｘ軸方向に沿って延びた長孔８１に挿通されたビス９Ａ，９Ｂによって垂木掛け３０にビス止めされている。ここで、ビス９Ｂを取り付ける前であって、ビス９Ａを緩く締めた仮固定状態では、垂木４０Ａは、垂木掛け３０に対してＸ軸方向にスライド可能とされる。なお、図５では、説明の便宜上、屋根材６０およびビート材５の図示を省略している。
垂木掛け３０は、前枠２０よりも高い位置にある。このため、各垂木４０は斜め掛けされ、屋根材６０は、Ｙ軸方向における後方側から前方側に向かって斜め下方向に傾斜して配置されている。
【００１９】
以下、本実施形態に係る屋根１０の施工手順について説明する。
まず、前枠２０を柱２に取り付け、垂木掛け３０を建物の外壁に固定し、前枠２０および垂木掛け３０の両端部に側枠５０Ａ，５０Ｂを取り付けて枠組みし、複数の垂木４０Ａを前枠２０および垂木掛け３０に前述したようにＸ軸方向にスライド可能に仮固定する。このとき、図６（Ａ）に示すように、垂木４０Ａおよび側枠５０Ａの下片部４３Ａ，５３間の間隔寸法Ｗ２が屋根材６０のＸ軸方向における寸法よりも短く、且つ、上片部４２Ａ，５２間の間隔寸法Ｗ３が屋根材６０のＸ軸方向における寸法よりも長くなるように、Ｘ軸方向において側枠５０Ａの隣に位置する垂木４０ＡをＸ軸方向にスライドして位置決めする。
次に、図６（Ｂ）に示すように、屋根材６０を上片部４２Ａ，５２間を通して下片部４３Ａ，５３の突片部４３３，５３３上に載置する。次に図６（Ｃ）に示すように、垂木４０Ａを側枠５０Ａ側に向かってスライドさせ、屋根材６０を立上り部４３５，５３５に当接させる。このとき、屋根材６０は、傾斜面４３４，５３４上を滑りながら持ち上げられるので、突片部４３３，５３３と屋根材６０との間に隙間が形成される。この隙間にビート材５が差し込まれると屋根材６０はビート材５によって更に持ち上げられ、屋根材６０の周縁は図２に示すように立上り部４３５，５３５よりも上方に位置し、底片部４４，５４との間にクリアランスＣが形成される。続いて、ビート材５の係合溝５Ａに突片部４３３，５３３が係合するまでビート材５が圧入されることで、屋根材６０はシール部材４２２，５２２およびビート材５によって挟持される。
また、前枠２０のビート受け部２４および屋根材６０間と垂木掛け３０のビート受け片部３４および屋根材６０間にもビート材６が圧入される。なお、仮固定状態の垂木４０Ａは前枠２０および垂木掛け３０にビスによって本固定され、Ｘ軸方向にスライド不能状態とされる。このようにして、側枠５０Ａおよび垂木４０Ａ間に屋根材６０が設置される。
【００２０】
前記屋根材６０の設置後、前述と概略同様の施工手順を繰り返して、垂木４０Ａ同士間に屋根材６０を仮置きして本固定する。最後に、垂木４０Ａおよび側枠５０Ｂ間に屋根材６０を仮置きして本固定する。側枠５０Ｂは、前枠２０の垂木受け片部２２にＸ軸方向にスライド可能に載置され、且つ、垂木掛け３０に、図７に示す断面略Ｌ字形状のブラケット５８を介してＺ軸方向にスライド可能に仮固定される。ブラケット５８は、側枠５０Ｂの側枠側片部５１２にビス止めされていると共に、Ｘ軸方向に沿った長孔５８１に挿通されたビス５９Ａによって垂木掛け３０に仮固定されている。長孔５８１の側枠５０Ｂ側の端部には下方に延びた縦長孔５８２が連続して形成されており、この縦長孔５８２の上下方向における中間位置にビス５９Ａの頭部が挿通可能な拡径部５８３が形成されている。
側枠５０Ｂは、仮固定状態で図７（Ａ）に示す位置から図７（Ｂ）に示す位置までスライドされた後、ビス５９Ａが本締めされると共に縦長孔５８２の下部にビス５９Ｂが挿通され、これらビス５９Ａ，５９Ｂによって垂木掛け３０に本固定される。一方、側枠５０Ｂは、前枠２０の垂木受け片部２２にもビス止めによって本固定される。
このようにして、各垂木４０間に屋根材６０が設置される。なお、このように設置した後、各垂木４０間には野縁７０が設置されるが、屋根材６０の設置後であっても野縁７０は設置可能である。
【００２１】
［本実施形態の効果］
（１）前記実施形態によれば、互いに隣り合う垂木４０の下片部４３Ａ（４３Ｂ），５３が、Ｘ軸方向において互いに近接する方向に上片部４２Ａ（４２Ｂ），５２よりも延出しているので、下片部４３Ａ（４３Ｂ），５３間の間隔寸法Ｗ２を屋根材６０のＸ軸方向における寸法よりも短く、且つ、上片部４２Ａ（４２Ｂ），５２間の間隔寸法Ｗ３を屋根材６０のＸ軸方向における寸法よりも長くなるように垂木４０を配置することで、屋根材６０を上側から下片部４３Ａ（４３Ｂ），５３に仮置きすることができ、屋根材６０を施工する施工性を向上することができる。
（２）隣り合う垂木４０の一方を他方に寄せる際に屋根材６０が下片部４３Ａ（４３Ｂ），５３の傾斜面４３４，５３４上を滑りながら上方に持ち上げられるので、下片部４３Ａ（４３Ｂ），５３および屋根材６０間に隙間が形成され、この隙間へビート材５を容易に差し込むことができる。また、ビート材５の圧入によって耐風圧強度を向上することができる。
（３）互いに隣り合う垂木４０の下片部４３Ａ（４３Ｂ），５３のうち上片部４２Ａ（４２Ｂ），５２よりも互いに近接する方向に延出した部分（延出片部４３１，５３１）には、上方に突出した突片部４３３，５３３がそれぞれ形成されているので、突片部４３３，５３３の先端に屋根材６０が仮置きされることとなる。このため、突片部４３３，５３３がない場合と比べて下片部４３Ａ（４３Ｂ），５３および屋根材６０の接触面積を減らすことができる。このため、隣り合う垂木４０の一方を他方に寄せる際に下片部４３Ａ（４３Ｂ），５３および屋根材６０間の摺動抵抗を低減することができる。
（４）隣り合う垂木４０の一方を他方に寄せた際に屋根材６０が垂木４０の立上り部４３５，５３５に当接するので、Ｘ軸方向における屋根材６０の位置決めを簡単に行うことができる。また、下片部４３Ａ（４３Ｂ），５３および屋根材６０間にビート材５を圧入するだけで、屋根材６０が上方に持ち上げられて当該屋根材６０の周縁および底片部４４，５４間にクリアランスＣを形成することができる。このため、屋根材６０に熱伸び等が生じても屋根材６０をクリアランスＣに逃がすことができる。
（５）下片部４３Ａ（４３Ｂ），５３の傾斜面４３４，５３４は、Ｚ軸方向においてシール部材４２２，５２２と間隔を隔てて向かい合っている。このため、下片部４３Ａ（４３Ｂ），５３および屋根材６０間にビート材５が差し込まれ、このビート材５が下片部４３Ａ（４３Ｂ），５３の傾斜面４３４，５３４と屋根材６０の縁部間に圧入され、屋根材６０が上片部４２Ａ（４２Ｂ），５２に装着されたシール部材４２２，５２２に押し当てられることで、ビート材５およびシール部材４２２，５２２によって屋根材６０を強固に挟み持つことができる。
【００２２】
［変形例］
本発明は、以上の実施形態で説明した構成のものに限定されず、本発明の目的を達成できる範囲での変形例は、本発明に含まれる。
例えば、前記実施形態では、下片部４３Ａ，４３Ｂ，５３には、傾斜面４３４，５３４が形成されているが、傾斜面４３４，５３４をなくして水平に形成されていてもよい。
前記実施形態では、下片部４３Ａ，４３Ｂ，５３に上方に突出した突片部４３３，５３３や立上り部４３５，５３５があるが、これらの構成を省略してもよい。
前記実施形態では、テラスに設置される屋根１０（テラス屋根）を説明したが、このほか、二階等のバルコニーに設置されるバルコニー屋根であってもよく、また、持ち出し屋根であってもよい。
【符号の説明】
【００２３】
１０…屋根、４０，４０Ａ…垂木、４２Ａ，４２Ｂ，５２…上片部、４３３，５３３…突片部、４３４，５３４，５Ｂ…傾斜面、４３５，５３５…立上り部、４３Ａ，４３Ｂ，５３…下片部、４４，５４…底片部、５，６…ビート材、５０Ａ，５０Ｂ…側枠（垂木）、６０…屋根材。
【図１】
2019015130.tif 000003
【図２】
2019015130.tif 000004
【図３】
2019015130.tif 000005
【図４】
2019015130.tif 000006
【図５】
2019015130.tif 000007
【図６】
2019015130.tif 000008
【図７】
2019015130.tif 000009